(57)【要約】【課題】時系列に連続して再生可能な画像あるいは音声を再生するに際して、所望の再生位置をユーザが指示する。【解決手段】時系列に連続して再生可能な画像あるいは音声を再生するに際し、再生対象の画像あるいは音声の再生時間に基づいて定められる第１再生時間単位で再生位置を指示可能な第１スライドバーを表示部に表示させ、当該第１スライドバー３１上で仮再生位置Ｐ１が指示されると、第１再生時間単位よりも短い第２再生時間単位で再生位置を指示可能な第２スライドバー３３を表示部に表示させ、当該第２スライドバーを用いて再生位置をユーザに指示させて、画像再生あるいは音声再生を行う。【選択図】図２
2009230468.tif 000002
【特許請求の範囲】
【請求項１】
各種情報を表示する表示部と、
時系列に連続して再生可能な画像を再生するに際し、再生対象の前記画像の再生時間に
基づいて定められる第１再生時間単位で再生位置を指示可能な第１スライドバーを前記表
示部に表示させ、当該第１スライドバー上で仮再生位置をユーザに指示させる仮再生位置
指示入力部と、
前記仮再生位置指示入力部において前記仮再生位置が指示されると、前記第１再生時間
単位よりも短い第２再生時間単位で再生位置を指示可能な第２スライドバーを前記表示部
に表示させ、当該第２スライドバーを用いて再生位置を前記ユーザに指示させる再生位置
指示入力部と、
前記再生位置指示入力部における前記ユーザの指示に基づいて、指示された前記再生位
置から画像再生を行う再生部と、
を備えたことを特徴とする再生装置。
【請求項２】
請求項１記載の再生装置において、
前記仮再生位置指示入力部は、前記画像の全再生時間にわたって前記第１再生時間単位
で前記仮再生位置を指示可能とされ、
前記再生位置指示入力部は、前記仮再生位置に相当する再生時刻の前後の所定時間範囲
にわたって前記第２再生時間単位で前記再生位置を指示可能とされている、
ことを特徴とする再生装置。
【請求項３】
請求項２記載の再生装置において、
前記所定時間範囲は、前記第１再生時間単位に相当する時間に設定されていることを特
徴とする再生装置。
【請求項４】
請求項１ないし請求項３のいずれかに記載の再生装置において、
前記実再生位置指示入力部は、前記第１スライドバー上で前記仮再生位置に対応づけて
前記第２スライドバーを表示することを特徴とする再生装置。
【請求項５】
各種情報を表示する表示部と、ユーザが各種操作を行う入力部と、を備えた再生装置の
制御方法において、
時系列に連続して再生可能な画像を再生するに際し、再生対象の前記画像の再生時間に
基づいて定められる第１再生時間単位で再生位置を指示可能な第１スライドバーを前記表
示部に表示させ、当該第１スライドバー上で仮再生位置を前記入力部を介してユーザに指
示させる仮再生位置指示入力過程と、
前記仮再生位置が指示されると、前記第１再生時間単位よりも短い第２再生時間単位で
再生位置を指示可能な第２スライドバーを前記表示部に表示させ、当該第２スライドバー
を用いて再生位置を前記入力部を介して前記ユーザに指示させる再生位置指示入力過程と
、
前記指示された前記再生位置から画像再生を行う再生過程と、
を備えたことを特徴とする再生装置の制御方法。
【請求項６】
各種情報を表示する表示部と、ユーザが各種操作を行う入力部と、を備えた再生装置を
コンピュータにより制御するための制御プログラムであって、前記コンピュータに、
時系列に連続して再生可能な画像を再生するに際し、再生対象の前記画像の再生時間に
基づいて定められる第１再生時間単位で再生位置を指示可能な第１スライドバーを前記表
示部に表示させ、当該第１スライドバー上で仮再生位置を前記入力部を介してユーザに指
示させる機能と、
前記仮再生位置が指示されると、前記第１再生時間単位よりも短い第２再生時間単位で
再生位置を指示可能な第２スライドバーを前記表示部に表示させ、当該第２スライドバー
を用いて再生位置を前記入力部を介して前記ユーザに指示させる機能と、
前記指示された前記再生位置から画像再生を行わせる機能と、
を実現させることを特徴とする制御プログラム。
【請求項７】
各種情報を表示する表示部と、
時系列に連続して再生可能な音声を再生するに際し、再生対象の前記音声の再生時間に
基づいて定められる第１再生時間単位で再生位置を指示可能な第１スライドバーを前記表
示部に表示させ、当該第１スライドバー上で仮再生位置をユーザに指示させる仮再生位置
指示入力部と、
前記仮再生位置指示入力部において前記仮再生位置が指示されると、前記第１再生時間
単位よりも短い第２再生時間単位で再生位置を指示可能な第２スライドバーを前記表示部
に表示させ、当該第２スライドバーを用いて再生位置を前記ユーザに指示させる再生位置
指示入力部と、
前記再生位置指示入力部における前記ユーザの指示に基づいて、指示された前記再生位
置から音声再生を行う再生部と、
を備えたことを特徴とする再生装置。
【発明の詳細な説明】
【技術分野】
【０００１】
本発明は、再生装置、再生装置の制御方法および制御プログラムに係り、特に動画コン
テンツ、スライドショー、音楽などの時系列に連続して再生可能な画像あるいは音声を再
生するに際して、再生位置をユーザが指定するための技術に関する。
【背景技術】
【０００２】
従来、動画再生用アプリケーションのユーザインタフェースとしては、いわゆるスライ
ドバーと呼ばれるものが一般的に用いられていた。
スライドバーは、現在の再生位置を示すと同時に、再生位置を所望の位置にジャンプさ
せるジャンプ操作にも用いられる。
しかしながら近年、動画再生用アプリケーションが開発された当時には想定されていな
かったタイプの動画コンテンツが増加しており、従来のスライドバーでは再生位置のジャ
ンプ操作が行いづらいケースが増えている。
一つめは、ＤＶＤや次世代光ディスクなどの大容量メディアによってもたらされた長再
生時間の動画コンテンツである。
このような動画コンテンツでは、動画コンテンツの収録時間が長くなったことによって
、従来の短・中時間の動画コンテンツであれば、スライドバーの単位距離に割り当てられ
る単位時間が数秒〜十数秒であったのが、長時間コンテンツでは数十秒〜数分もの時間が
割り当てられるようになってしまったため、スライドバーをクリックして所望の再生位置
にジャンプするという操作が行いづらくなってしまったという問題点が生じていた。
二つめは、動画共有サイトなどで多くみられる、短時間の間に頻繁にシーンが切り替わ
るタイプの動画コンテンツである。
このタイプの動画コンテンツ誕生の背景には、動画共有サイトの記憶容量制限の存在が
ある。すなわち、動画共有サイトには記憶装置の容量の都合があるため、投稿される動画
に対して収録時間の制限を設ける必要がある。このためユーザは限られた収録時間内に全
てのコンテンツを収めなくてはならず、これにより、短い時間内に多くのシーンが含まれ
た動画コンテンツが生まれることとなった。
このような動画コンテンツにおいては、スライドバーの単位距離に割り当てられる単位
時間も短くなるが、割り当てられた単位時間よりも短い間隔でシーンが次々と切り替わる
コンテンツが多いため、スライドバーをクリックすることで所望の再生位置にジャンプす
ることが難しいという問題が生じていた。
これらを解決するための手法として、いわゆるジョグダイアル型のユーザインタフェー
スを用いる手法（例えば、特許文献１参照）、前後のシーンをサムネイルやアイコンで表
示する手法（例えば、特許文献２あるいは特許文献３参照）等が提案されている。
【特許文献１】特開２００７−２０６８０９号公報
【特許文献２】特開平５−２８９６５０号公報
【特許文献３】特開２００１−２９２４０２号公報
【発明の開示】
【発明が解決しようとする課題】
【０００３】
しかしながら、特許文献１記載の手法においては、現在再生されている動画の前後の所
定時間範囲においては再生位置を指示可能であるが、現在の再生位置の前後の所定時間範
囲外においては、再生位置を別途指定する必要があり、そのような場合には、容易に所望
の再生位置を指示することはできないという不具合があった。
また、特許文献２記載の手法においては、サムネイルが動画コンテンツの再生に合わせ
てスクロールされながら常時表示されるため、動画コンテンツを表示する領域が小さく制
限されるとともに、サムネイルが表示されていない部分を指定する場合には同様の課題が
生じるという問題点があった。
また、特許文献３記載の手法においては、予め各シーンにアイコンを割り当てる処理が
必要であり、自分で撮影した画像などには適用しづらいという問題点があった。
そこで、本発明の目的は、時系列に連続して再生可能な画像あるいは音声を再生するに
際して、所望の再生位置をユーザが指示することが可能な再生装置、再生装置の制御方法
および制御プログラムを提供することにある。
【課題を解決するための手段】
【０００４】
上記課題を解決するため、本発明の第１の態様は、各種情報を表示する表示部と、時系
列に連続して再生可能な画像を再生するに際し、再生対象の前記画像の再生時間に基づい
て定められる第１再生時間単位で再生位置を指示可能な第１スライドバーを前記表示部に
表示させ、当該第１スライドバー上で仮再生位置をユーザに指示させる仮再生位置指示入
力部と、前記仮再生位置指示入力部において前記仮再生位置が指示されると、前記第１再
生時間単位よりも短い第２再生時間単位で再生位置を指示可能な第２スライドバーを前記
表示部に表示させ、当該第２スライドバーを用いて再生位置を前記ユーザに指示させる再
生位置指示入力部と、前記再生位置指示入力部における前記ユーザの指示に基づいて、指
示された前記再生位置から画像再生を行う再生部と、を備えたことを特徴としている。
【０００５】
上記構成によれば、仮再生位置指示入力部は、時系列に連続して再生可能な画像を再生
するに際し、第１再生時間単位で再生位置を指示可能な第１スライドバーを前記表示部に
表示させ、当該第１スライドバー上で仮再生位置をユーザに指示させる。
再生位置指示入力部は、前記仮再生位置指示入力部において前記仮再生位置が指示され
ると、前記第１再生時間単位よりも短い第２再生時間単位で再生位置を指示可能な第２ス
ライドバーを前記表示部に表示させ、当該第２スライドバーを用いて再生位置を前記ユー
ザに指示させる。
これらの結果、再生部は、前記再生位置指示入力部における前記ユーザの指示に基づい
て、指示された前記再生位置から画像再生を行う。
したがって、ユーザは、再生対象の画像の再生時間や、構成内容の影響をあまり受けず
に、容易に所望の再生位置を指示して、再生を行うことができる。
【０００６】
本発明の第２の態様は、第１の態様において、前記仮再生位置指示入力部は、前記画像
の全再生時間にわたって前記第１再生時間単位で前記仮再生位置を指示可能とされ、前記
再生位置指示入力部は、前記仮再生位置に相当する再生時刻の前後の所定時間範囲にわた
って前記第２再生時間単位で前記再生位置を指示可能とされている、ことを特徴としてい
る。
上記構成によれば、ユーザは、仮再生位置指示入力を介して画像の全再生時間にわたっ
て第１再生時間単位で大まかに再生位置を特定した状態で、さらに再生位置指示入力部を
介して仮再生位置に相当する再生時刻の前後の所定時間範囲にわたって第２再生時間単位
で再生位置を細かく指示できるので、容易に所望の再生位置を指示できる。
【０００７】
本発明の第３の態様は、第２の態様において、前記所定時間範囲は、前記第１再生時間
単位に相当する時間に設定されていることを特徴としている。
上記構成によれば、仮再生位置に対応する第１再生時間単位内で第２再生時間単位で再
生位置を指示することができるため、再生対象の画像の全再生時間にわたって、第２再生
時間単位で再生位置の指示を行えることと等価となる。
【０００８】
本発明の第４の態様は、第１ないし第３の態様において、前記実再生位置指示入力部は
、前記第１スライドバー上で前記仮再生位置に対応づけて前記第２スライドバーを表示す
ることを特徴としている。
上記構成によれば、第２スライドバーは、第１スライドバー上で仮再生位置に対応づけ
て表示されるので、ユーザは、再生対象の画像のどのあたりを指示しようとしているのか
を容易に把握することができる。
【０００９】
本発明の第５の態様は、各種情報を表示する表示部と、ユーザが各種操作を行うための
入力部と、を備えた再生装置の制御方法において、時系列に連続して再生可能な画像を再
生するに際し、再生対象の前記画像あるいは前記音声の再生時間に基づいて定められる第
１再生時間単位で再生位置を指示可能な第１スライドバーを前記表示部に表示させ、当該
第１スライドバー上で仮再生位置を前記入力部を介してユーザに指示させる仮再生位置指
示入力過程と、前記仮再生位置が指示されると、前記第１再生時間単位よりも短い第２再
生時間単位で再生位置を指示可能な第２スライドバーを前記表示部に表示させ、当該第２
スライドバーを用いて再生位置を前記入力部を介して前記ユーザに指示させる再生位置指
示入力過程と、前記指示された前記再生位置から画像再生を行う再生過程と、を備えたこ
とを特徴としている。
上記構成によれば、ユーザは、再生対象の画像の再生時間や、構成内容の影響をあまり
受けずに容易に所望の再生位置を指示して、再生を行うことができる。
【００１０】
本発明の第６の態様は、各種情報を表示する表示部と、ユーザが各種操作を行うための
入力部と、を備えた再生装置をコンピュータにより制御するための制御プログラムであっ
て、前記コンピュータに、時系列に連続して再生可能な画像を再生するに際し、再生対象
の前記画像の再生時間に基づいて定められる第１再生時間単位で再生位置を指示可能な第
１スライドバーを前記表示部に表示させ、当該第１スライドバー上で仮再生位置を前記入
力部を介してユーザに指示させる機能と、前記仮再生位置が指示されると、前記第１再生
時間単位よりも短い第２再生時間単位で再生位置を指示可能な第２スライドバーを前記表
示部に表示させ、当該第２スライドバーを用いて再生位置を前記入力部を介して前記ユー
ザに指示させる機能と、前記指示された前記再生位置から画像再生を行わせる機能と、を
実現させることを特徴としている。
上記構成によれば、ユーザは、再生対象の画像の再生時間や、構成内容の影響をあまり
受けずに容易に所望の再生位置を指示して、再生を行うことができる。
【００１１】
本発明の第７の態様は、各種情報を表示する表示部と、時系列に連続して再生可能な音
声を再生するに際し、再生対象の前記音声の再生時間に基づいて定められる第１再生時間
単位で再生位置を指示可能な第１スライドバーを前記表示部に表示させ、当該第１スライ
ドバー上で仮再生位置をユーザに指示させる仮再生位置指示入力部と、前記仮再生位置指
示入力部において前記仮再生位置が指示されると、前記第１再生時間単位よりも短い第２
再生時間単位で再生位置を指示可能な第２スライドバーを前記表示部に表示させ、当該第
２スライドバーを用いて再生位置を前記ユーザに指示させる再生位置指示入力部と、
前記再生位置指示入力部における前記ユーザの指示に基づいて、指示された前記再生位
置から音声再生を行う再生部と、を備えたことを特徴としている。
【００１２】
上記構成によれば、仮再生位置指示入力部は、時系列に連続して再生可能な音声を再生
するに際し、第１再生時間単位で再生位置を指示可能な第１スライドバーを前記表示部に
表示させ、当該第１スライドバー上で仮再生位置をユーザに指示させる。
再生位置指示入力部は、前記仮再生位置指示入力部において前記仮再生位置が指示され
ると、前記第１再生時間単位よりも短い第２再生時間単位で再生位置を指示可能な第２ス
ライドバーを前記表示部に表示させ、当該第２スライドバーを用いて再生位置を前記ユー
ザに指示させる。
これらの結果、再生部は、前記再生位置指示入力部における前記ユーザの指示に基づい
て、指示された前記再生位置から音声再生を行う。
したがって、ユーザは、再生対象の音声の再生時間や、構成内容の影響をあまり受けず
に、容易に所望の再生位置を指示して、再生を行うことができる。
【００１３】
本発明の他の第１の態様は、上記第２の態様ないし第６の態様において、前記画像の再
生に代えて、あるいは、前記画像の再生に加えて音声の再生を行うようにしても良い。
本発明の他の第２の態様は、各種情報を表示する表示部と、時系列に連続して再生可能
な画像あるいは音声を再生するに際し、再生対象の前記画像あるいは前記音声の再生時間
に基づいて定められる第１再生時間単位で仮再生位置をユーザに指示させる仮再生位置指
示入力部と、前記第１再生時間単位よりも短い第２再生時間単位で再生位置を前記ユーザ
に指示させる再生位置指示入力部と、前記再生位置指示入力部における前記ユーザの指示
に基づいて、指示された前記再生位置から画像再生あるいは音声再生を行う再生部と、を
備えたことを特徴としている。
上記構成によれば、ユーザは、再生対象の画像あるいは音声の再生時間や、構成内容の
影響をあまり受けずに容易に所望の再生位置を指示することができ、再生を行える。
【００１４】
本発明の他の第３の態様は、本発明の他の第２の態様において、前記仮再生位置指示入
力部は、前記第１再生時間単位で再生位置を指示可能な第１スライドバーを前記表示部に
表示させ、前記再生位置指示入力部は、前記第２再生時間単位で再生位置を指示可能な第
２スライドバーを前記表示部に表示させる、ことを特徴としている。
上記構成によれば、ユーザは直感的に所望の再生位置を指示することができ、再生を行
える。
【００１５】
本発明の他の第４の態様は、本発明の他の第３の態様において、前記実再生位置指示入
力部は、前記第１スライドバー上で前記仮再生位置に対応づけて前記第２スライドバーを
表示することを特徴としている。
上記構成によれば、第２スライドバーは、第１スライドバー上で仮再生位置に対応づけ
て表示されるので、ユーザは、再生対象の画像あるいは音声のどのあたりを指示しようと
しているのかを容易に把握することができる。
【００１６】
本発明の他の第５の態様は、本発明の他の第４の態様において、前記第１スライドバー
上に前記第２スライドバーを交差して表示することを特徴としている。
上記構成によれば、第２スライドバーは、第１スライドバー上で仮再生位置で交差され
て表示されるので、ユーザは、再生対象の画像あるいは音声のどのあたりを指示しようと
しているのかを容易に把握することができる。
【００１７】
本発明の他の第６の態様は、本発明の他の第５の態様において、前記第１スライドバー
上に前記第２スライドバーを直交させて表示することを特徴としている。
上記構成によれば、ユーザは、より明確に再生対象の画像あるいは音声のどのあたりを
再生位置として指示使用としているのかを把握できる。
【００１８】
本発明の他の第７の態様は、本発明の他の第５の態様において、前記第１スライドバー
上に前記第２スライドバーを斜めに交差させて表示することを特徴としている。
本発明の他の第７の態様は、本発明の他の第６の態様において、前記第１スライドバー
上に前記第２スライドバーを交差させて表示するに際し、時間軸の向きの成分が同一方向
となるように前記第２スライドバーを配置することを特徴としている。
上記構成によれば、第１スライドバーにおける時間軸方向と、第２スライドバーにおけ
る時間軸方向が直感的に把握できるため、より容易に操作を行える。
【００１９】
本発明の他の第９の態様は、各種情報を表示する表示部と、時系列に連続して再生可能
な画像あるいは音声を再生する再生部と、を備えた再生装置に対し、前記画像あるいは音
声の再生位置を指示する再生位置指示装置において、再生対象の前記画像あるいは前記音
声の再生時間に基づいて定められる第１再生時間単位で再生位置をユーザに指示させる仮
再生位置指示入力部と、前記仮再生位置指示入力部において前記仮再生位置が指示される
と、前記第１再生時間単位よりも短い第２再生時間単位で再生位置を前記ユーザに指示さ
せる再生位置指示入力部と、を備えたことを特徴としている。
上記構成によれば、ユーザは、再生対象の画像あるいは音声の再生時間や、構成内容の
影響をあまり受けずに容易に所望の再生位置を指示することができる。
【００２０】
本発明の他の第１０の態様は、本発明の他の第２の態様において、前記仮再生位置指示
入力部は、前記第１再生時間単位で再生位置を指示可能な第１スライドバーを前記表示部
に表示させ、前記再生位置指示入力部は、前記第２再生時間単位で再生位置を指示可能な
第２スライドバーを前記表示部に表示させる、ことを特徴としている。
上記構成によれば、ユーザは直感的に所望の再生位置を指示することができ、再生を行
える。
【発明を実施するための最良の形態】
【００２１】
次に本発明の好適な実施の形態について説明する。
［１］第１実施形態
図１は、実施形態の画像表示装置の概要構成ブロック図である。
画像表示装置１０は、大別すると、ユーザが各種操作を行うための入力部１１と、動画
コンテンツを予め記憶する外部記憶装置１２と、動画コンテンツを表示するための出力部
１３と、動画コンテンツの表示制御を行う表示制御部１４と、を備えている。
入力部１１は、マウス、タッチパッドなどのポインティングデバイスやキーボードなど
の入力デバイスを備えている。
外部記憶装置１２は、ハードディスク等の磁気記録媒体、メモリカードなどの半導体記
憶装置、光ディスクなどの光記録媒体などに動画コンテンツを記憶している。なお、外部
記憶装置１２は、ネットワーク経由で接続された他の機器が備える記憶装置であってもよ
い。
出力部１３は、液晶ディスプレイなどのモニタを有し、動画コンテンツを表示する。
表示制御部１４は、ＭＰＵ、ＲＯＭ、ＲＡＭ、各種インタフェース部などを備えたコン
ピュータとして構成されており、大別すると、入力部１１からの入力信号を処理する入力
信号処理部２１と、出力部１３のモニタの表示画面に表示するための表示画像データを記
憶するビデオメモリ２２と、ユーザインタフェース（ＵＩ）を出力部１３のモニタの表示
画面上に表示するためにビデオメモリ２２に対する描画処理を行うＵＩ描画部２３と、外
部記憶装置１２から再生対象の動画コンテンツを取得する動画像取得部２４と、動画像取
得部２４により取得された動画コンテンツに基づいて動画像を出力部１３のモニタの表示
画面上に表示するためにビデオメモリ２２に対する描画処理を行う動画像描画部２５と、
当該表示制御部全体の制御を行う制御部２６と、を備えている。
【００２２】
まず、詳細な動作説明に先立ち、実施形態の基本動作について説明する。
図２は、基本動作の説明図である。
初期状態において、出力部１３のモニタの表示画面上には、第１スライドバー３１が表
示されており（図２（ａ）参照）、モニタの表示画面上には、第１スライドバー３１のイ
ンジケータ３２の表示位置に対応して再生がなされているものとする。
ここで、第１スライドバー３１は、再生対象の動画コンテンツの全再生時間にわたって
再生位置を指示可能となっている。
このため、この第１スライドバー３１において、インジケータ３２は、対応する動画コ
ンテンツの全再生時間に相当する範囲で移動可能となっており、インジケータ３２の位置
が対応する動画コンテンツの全再生時間中における再生位置を表している。
【００２３】
すなわち、第１スライドバー３１は、動画コンテンツの全再生時間にわたって再生位置
を指示可能となっている。したがって、インジケータの１ステップに割り当てられる単位
再生時間（第１単位再生時間）は、動画コンテンツの再生時間を第１スライドバー３１の
インジケータ３２の全ステップ数で除した値となる。したがって、インジケータ３２のス
テップ数は一定であるので、再生時間が長いほど、第１スライドバー３１の単位再生時間
は長くなることとなる。具体的には、動画コンテンツの再生時間が１時間の場合に、第１
スライドバー３１のインジケータ３２の全ステップ数が６０ステップであったとすれば、
１ステップあたり、すなわち、単位再生時間（第１単位再生時間）は、１分となり、１分
単位で再生時間を指示できることとなる。同様に、動画コンテンツの再生時間が２時間の
場合に、第１スライドバー３１のインジケータ３２の全ステップ数が６０ステップであっ
たとすれば、１ステップあたり、すなわち、単位再生時間（第１単位再生時間）は、２分
となり、２分単位で再生時間を指示できることとなる。
そして、図２（ａ）に示すように、ユーザが第１スライドバー３１上の位置Ｐ１にカー
ソルＣＵＲを移動させポイントすると（重ねると）、当該ポイント位置Ｐ１から前後に所
定時間分の時間幅（図２（ｂ）では、各１０秒）を有する新たなスライドバーとして第２
スライドバー３３を表示する。
【００２４】
この場合において、第２スライドバー３３の単位再生時間（第２単位再生時間）は、メ
インの第１スライドバー３１と比べて大幅に短く設定されている。
具体的には、第２スライドバーの全ステップ数が６０ステップであったとすれば、上述
の例の場合、１ステップあたり、すなわち、単位再生時間（第２単位再生時間）は、１／
３秒となり、１／３秒単位（３０フレーム／秒の動画再生の場合、１０フレームに相当）
で再生時間を指示できることとなる。
したがって、ユーザは、図２（ｃ）に示すように、第２スライドバー（拡大スライドバ
ー）３３上に、カーソルＣＵＲを移動し、クリック操作を行うことで、再生対象の動画コ
ンテンツの再生時間や、構成内容の影響をあまり受けずに容易に所望の再生位置を指示し
て、再生位置をジャンプさせ、再生を行うことができるのである。
【００２５】
次に実施形態のより具体的な動作を説明する。
以下の説明においては、ポインティングデバイスとしてマウスを用いる場合を例として
説明を行うものとする。
図３は、実施形態の処理フローチャートである。
図４は、初期状態における出力部のモニタの表示画面の説明図である。
図５は、第１スライドバーをポイントした状態における出力部のモニタの表示画面の説
明図である。
初期状態において、出力部１３のモニタの表示画面１３Ａには、動画コンテンツ表示ウ
ィンドウ４１が表示され、動画コンテンツ表示ウィンドウ４１は、動画コンテンツ表示エ
リア４２と、動画コンテンツ操作エリア４３と、を備えている。
動画コンテンツ操作エリア４３には、第１スライドバー３１と、再生操作ボタン群４４
が表示されている。
【００２６】
まず、制御部２６は、入力部１１の入力状態に基づいて、第１スライドバー３１がポイ
ントされたか否かを判別する（ステップＳ１）。
ステップＳ１１の判別において、図５に示すように、第１スライドバー３１がカーソル
ＣＵＲによりポイントされた場合には（ステップＳ１；Ｙｅｓ）制御部２６は、動画像取
得部２４を介して外部記憶装置１２から取得した再生対象の動画コンテンツの全再生時間
に基づいて、第１スライドバー３１のポイントされた位置が対応する再生時刻を取得する
（ステップＳ２）。
続いて制御部２６は、第２スライドバー３３を表示させるとともに、ステップＳ２で取
得した再生時刻を第２スライドバー３３の中央位置に対応させるとともに、第２スライド
バー３３全体で指示可能な再生時間に、第１スライドバー３１の単位再生時間（第１単位
再生時間）を割り当てる（ステップＳ３）。
【００２７】
図６は、スライドバーへの再生時間の割当の説明図である。
具体的には、図６に示すように、動画コンテンツが２時間１６分３２秒であり、第１ス
ライドバー３１および第２スライドバー３３がそれぞれ１２８ステップで再生時間を指定
可能な場合には、第１スライドバー３１には、１ステップあたり、６４秒が割り当てられ
ることとなる。
この場合には、第２スライドバー３３全体では、第１スライドバー３１の１ステップに
割り当てられた６４秒に相当する時間が少なくとも割り当てられる。そして、第２スライ
ドバー３３の１ステップには、
６４（秒）／１２８（ステップ）＝０．５（秒／ステップ）
の時間がそれぞれ割り当てられることとなる。
次に制御部２６は、入力部１１の入力状態、具体的には、マウスによりクリック操作が
なされたか否かを判別する（ステップＳ４）。
ステップＳ４の判別においてクリック操作がなされていない場合には（ステップＳ４；
Ｎｏ）、制御部２６は、処理を再びステップＳ３に移行して待機状態となる。
ステップＳ４の判別において、クリック操作がなされた場合には（ステップＳ４；Ｙｅ
ｓ）、制御部２６は、ＵＩ描画部２３を制御して、第２スライドバー３３の表示を終了さ
せる（ステップＳ５）。
【００２８】
続いて、制御部２６は、クリック操作がなされた場所が、スライドバー上（第１スライ
ドバー３１上あるいは第２スライドバー３３上）であるか、あるいはそれ以外の場所のい
ずれであるかを判別する（ステップＳ７）。
ステップＳ７の判別において、クリックされたのがいずれかのスライドバー上以外であ
る場合には（ステップＳ７；スライドバー以外の部分）、制御部２６は、処理を再びステ
ップＳ１に移行して、以下同様の処理を行う。
ステップＳ７の判別において、クリックされたのがいずれかのスライドバー上である場
合には（ステップＳ７；スライドバー上）、対応するスライドバーのクリック位置に対応
する再生時刻を取得する（ステップＳ８）。
そして、取得した再生時刻から再生を開始することとなる（ステップＳ９）。
具体的には、図６に示した例の場合、ステップＳ８の処理において、第１スライドバー
３１上で、３ステップ目に相当する位置がクリックされた場合には、ステップＳ９の処理
において動画コンテンツの最初から、２分８秒（＝６４×２＝１２８秒）経過した時刻か
ら動画コンテンツが再生されることとなる。
【００２９】
同様にステップＳ８の処理において、第２スライドバー上で、第６５ステップ目に相当
する位置がクリックされた場合には、ステップＳ９の処理において動画コンテンツの最初
から２分４０秒（＝６４×２＋０．５×６４）経過した時刻から動画コンテンツが再生さ
れることとなる。
以上の説明のように、本実施形態によれば、大まかな再生位置を第１スライドバー３１
で指定し、より詳細な再生位置を第２スライドバー３３により指定するので、ユーザは、
再生対象の動画コンテンツの再生時間の影響をあまり受けずに、容易に所望の再生位置を
指示して、再生を行うことができる。
以上の説明は、動画コンテンツの再生時間が長い場合のものであったが、第１スライド
バー３１における単位再生時間（第１単位再生時間）よりも短い間隔で、シーンが切り替
わる場合であっても、第２スライドバー３３における単位再生時間（第２単位再生時間）
で画像再生位置を指示できるため、確実に所望の再生位置を指示することが可能となる。
【００３０】
［２］第２実施形態
図７は、第２実施形態のスライドバーの表示例の説明図である。
上記第１実施形態においては、第１スライドバー３１に対して、第２スライドバー３３
を離間した位置に配置していたが、本第２実施形態は、第１スライドバー３１の上部に、
第１スライドバー３１と同じ横幅の第２スライドバー３３−１を表示する場合のものであ
る。
本第２実施形態によれば、第２スライドバー３３−１の横幅を、第１実施形態の第２ス
ライドバー３３よりも長くすることができ、同一の操作感覚で第２スライドバー３３−１
のステップ数を増加させることができ、ひいては、第２スライドバー３３−１の単位再生
時間を第２スライドバー３３の単位再生時間より、短くすることができるので、より精度
のよい再生位置指定が可能となる。また、第２スライドバー３３−１を表示するための領
域を抑制することができる。なお、第２スライドバー３３−１は、第１スライドバー３１
の下部に表示してもよい。
【００３１】
［３］第３実施形態
図８は、第３実施形態のスライドバーの表示例の説明図である。
上記第１実施形態および第２実施形態においては、第２スライドバー３３、３３−１を
第１スライドバー３１と平行に配置していたが、本第３実施形態は、第１スライドバー３
１のポイント位置Ｐ２に対応づけて、縦方向に第２スライドバー３３−２を配置する場合
のものである。
本第３実施形態によれば、第２スライドバー３３−２が表示されるのは、ポイント位置
Ｐ２に対応づけた位置であるので、ユーザがより自分が再生を指示しようとする位置の把
握が容易となっている。
【００３２】
［４］第４実施形態
図９は、第４実施形態のスライドバーの表示例の説明図である。
上記第３実施形態では、第１スライドバー３１のポイント位置Ｐ２に対応づけて、縦方
向に第２スライドバー３３−２を配置していたが、本第４実施形態は、第１スライドバー
３１に対して、第２スライドバーを第１スライドバー３１のポイント位置Ｐ３に対応づけ
て、第１スライドバー３１上に直交（交差）させて配置する場合のものである。
これにより、第２スライドバー３３−３の中心を、第１スライドバー３１をポイントし
た位置に一致させることで、操作性を向上させるとともに、第２スライドバー３３−３に
よって隠されてしまう映像表示領域の面積を小さくすることができる。
【００３３】
［５］第５実施形態
図１０は、第５実施形態のスライドバーの表示例の説明図である。
上記第４実施形態では、第２スライドバーを第１スライドバー３１上に直交（交差）さ
せて配置していたが、本第５実施形態は、第１スライドバー３１上に第２スライドバー３
３−４を斜めに交差させて表示する場合のものである。
この場合において、時間軸の向きの成分が第１スライドバー３１と同一方向となるよう
に第２スライドバー３３−４を配置しているので、すなわち、第１スライドバー３１上あ
るいは第２スライドバー３３−４上のいずれにおいても、図１０上、右方向に移動すれば
再生時間が経過する側となり、左方向に移動すれば再生時間が戻る側となるので、第１ス
ライドバーにおける時間軸方向（左側から右側に向かって経過していく）と、第２スライ
ドバーにおける時間軸方向（同じく左側から右側に向かって経過していく）が直感的に把
握できるため、より容易に操作を行える。
さらには、右利きの人間が最も動かしやすいマウスの方向は「左上⇔右下」方向である
ため、図１０の表示方法は人間工学的にもユーザの操作しやすい表示方法となっている。
なお、左利きの人間の場合には、時間軸の向きの成分が第１スライドバー３１と同一方向
となるように第２スライドバー３３−４を配置し、かつ、第２スライドバー３３−４が「
右上⇔左下」方向に延在するように設定することも可能である。
【００３４】
［６］第６実施形態
図１１は、第６実施形態の表示例の説明図である。
以上の各実施形態は、スライドバーを表示するものであったが、本第６実施形態は、さ
らに、第２スライドバー３３に設定されている再生区間の始端と終端、および中央（＝第
１スライドバー３１上のポイント位置Ｐ４）の映像ＧＳ、ＧＥ、ＧＣをサムネイル表示す
ることで、ユーザは所望する再生位置をより容易かつ正確に指定することができるように
なる。
【００３５】
［７］実施形態の変形例
以上の説明においては、再生対象が動画コンテンツの場合のものであったが、いわゆる
スライドショーのように静止画を連続的に再生するコンテンツや、音楽などの音声コンテ
ンツについても同様に適用が可能である。
以上の説明においては、ユーザインタフェースとしてスライドバーの場合について説明
したが、最大３６０度回動可能な、ジョグダイアルのようなアナログ的なユーザインタフ
ェースであれば同様に適用が可能である。
以上の説明においては、画像再生装置を制御するための制御プログラムが予めＲＯＭに
記憶されている場合について説明したが、各種磁気ディスク、光ディスク、メモリカード
などの記録媒体に制御用プログラムをあらかじめ記録し、これらの記録媒体から読み込み
、インストールするように構成することも可能である。また、通信インタフェースを設け
、インターネット、ＬＡＮなどのネットワークを介して制御用プログラムをダウンロード
し、インストールして実行するように構成することも可能である。このように構成するこ
とにより、ソフトウェア的により高機能としたり、より信頼性の高い画像再生装置を提供
したりすることが可能である。
【図面の簡単な説明】
【００３６】
【図１】実施形態の画像表示装置の概要構成ブロック図である。
【図２】基本動作の説明図である。
【図３】実施形態の処理フローチャートである。
【図４】初期状態における出力部のモニタの表示画面の説明図である。
【図５】第１スライドバーをポイントした状態における出力部のモニタの表示画面の説明図である。
【図６】スライドバーへの再生時間の割当の説明図である。
【図７】第２実施形態のスライドバーの表示例の説明図である。
【図８】第３実施形態のスライドバーの表示例の説明図である。
【図９】第４実施形態のスライドバーの表示例の説明図である。
【図１０】第５実施形態のスライドバーの表示例の説明図である。
【図１１】第６施形態の表示例の説明図である。
【符号の説明】
【００３７】
１０…画像表示装置、１１…入力部、１２…外部記憶装置、１３…出力部、１３Ａ…表
示画面、１４…表示制御部、２１…入力信号処理部、２２…ビデオメモリ、２３…ＵＩ描
画部、２４…動画像取得部、２５…動画像描画部、２６…制御部、３１…第１スライドバ
ー、３２…インジケータ、３３、３３−１〜３３−４…第２スライドバー、Ｐ１〜Ｐ４…
ポイント位置。
【図１】
2009230468.tif 000003
【図２】
2009230468.tif 000004
【図３】
2009230468.tif 000005
【図４】
2009230468.tif 000006
【図５】
2009230468.tif 000007
【図６】
2009230468.tif 000008
【図７】
2009230468.tif 000009
【図８】
2009230468.tif 000010
【図９】
2009230468.tif 000011
【図１０】
2009230468.tif 000012
【図１１】
2009230468.tif 000013